(57)【特許請求の範囲】
【請求項１】
コンピュータプロセッサをソケットに固定するための一点駆動二荷重型機構であって、
ソケットの周囲に装着される基部と、
前記基部に回転可能に結合される荷重板であって、前記基部の第１の側部上の作動レバ
ーと前記基部の第２の側部上のヒンジレバーとが前記荷重板の上方に固定されたときに前
記基部に固定される、荷重板と
を含み、
前記荷重板の前記第１の側部上の前記作動レバーが、前記基部に回転可能に結合し、前
記作動レバーが完全に回転したときに固定され、
前記荷重板の前記第２の側部上の前記ヒンジレバーが、前記基部に回転可能に結合し、
前記作動レバーの回転が前記ヒンジレバーを回転させるように前記作動レバーに接続し、
前記ヒンジレバーが、前記作動レバーが固定されたときに固定され、
前記ヒンジレバーに接続した前記作動レバーのかぎ形端部を通じて前記ヒンジレバーに
ヒンジ力が加えられることによって、前記ヒンジレバーが、前記作動レバーが固定された
ときに固定される、一点駆動二荷重型機構。
【請求項２】
前記作動レバーが、前記作動レバーが固定されたときに前記荷重板に対して第１の力を
加え、前記ヒンジレバーが、前記ヒンジレバーが固定されたときに前記荷重板に対して第
２の力を加える、請求項１に記載の一点駆動二荷重型機構。
【請求項３】
前記第１の力の大きさ及び前記第２の力の大きさが、所定の閾値内にある、請求項２に
記載の一点駆動二荷重型機構。
【請求項４】
前記作動レバーを固定するための作動レバーラッチをさらに含む、請求項１に記載の一
点駆動二荷重型機構。
【請求項５】
前記作動レバーの前記かぎ形端部が、前記ヒンジレバーのループ形端部を介して前記ヒ
ンジレバーに接続する、請求項１に記載の一点駆動二荷重型機構。
【請求項６】
前記作動レバーが固定されていないときには前記ヒンジレバーは完全に固定されない、
請求項１に記載の一点駆動二荷重型機構。
【請求項７】
ソケット内に固定装着されるコンピュータプロセッサを有する装置であって、
コンピュータプロセッサと、
前記コンピュータプロセッサを前記ソケットに固定するための一点駆動二荷重型機構と
を含み、前記一点駆動二荷重型機構が、
前記ソケットの周囲に装着される基部と、
前記基部に回転可能に結合される荷重板であって、前記基部の第１の側部上の作動レバ
ーと前記基部の第２の側部上のヒンジレバーとが前記荷重板の上方に固定されたときに前
記基部に固定される、荷重板と
を含み、
前記荷重板の前記第１の側部上の前記作動レバーが、前記基部に回転可能に結合し、前
記作動レバーが完全に回転したときに固定され、
前記荷重板の前記第２の側部上の前記ヒンジレバーが、前記基部に回転可能に結合し、
前記作動レバーの回転が前記ヒンジレバーを回転させるように前記作動レバーに接続し、
前記ヒンジレバーが、前記作動レバーが固定されたときに固定され、
前記ヒンジレバーに接続した前記作動レバーのかぎ形端部を通じて前記ヒンジレバーに
ヒンジ力が加えられることによって、前記ヒンジレバーが、前記作動レバーが固定された
ときに固定される、装置。
【請求項８】
前記作動レバーが、前記作動レバーが固定されたときに前記荷重板に対して第１の力を
加え、前記ヒンジレバーが、前記ヒンジレバーが固定されたときに前記荷重板に対して第
２の力を加える、請求項７に記載の装置。
【請求項９】
前記第１の力の大きさ及び前記第２の力の大きさが、所定の閾値内にある、請求項８に
記載の装置。
【請求項１０】
前記作動レバーを固定するための作動レバーラッチをさらに含む、請求項７に記載の装
置。
【請求項１１】
前記作動レバーの前記かぎ形端部が、前記ヒンジレバーのループ形端部を介して前記ヒ
ンジレバーに接続する、請求項７に記載の装置。
【請求項１２】
前記作動レバーが固定されていないときには前記ヒンジレバーは完全に固定されない、
請求項７に記載の装置。
【請求項１３】
コンピュータプロセッサをソケットに固定するための一点駆動二荷重型機構であって、
ソケットの周囲に装着される基部と、
前記基部に回転可能に結合される荷重板であって、作動レバーとヒンジレバーとが前記
荷重板の上方に固定されたときに前記基部に固定される、荷重板と
を含み、
前記作動レバーが、前記基部に回転可能に結合し、前記作動レバーが完全に回転したと
きに固定され、
前記ヒンジレバーが、前記基部に回転可能に結合し、前記作動レバーの回転が前記ヒン
ジレバーを回転させるように前記作動レバーに接続し、
前記ヒンジレバーが、前記作動レバーが固定されたときに固定され、
前記ヒンジレバーに接続した前記作動レバーのかぎ形端部を通じて前記ヒンジレバーに
ヒンジ力が加えられることによって、前記ヒンジレバーが、前記作動レバーが固定された
ときに固定される、一点駆動二荷重型機構。
【請求項１４】
前記作動レバーが、前記作動レバーが固定されたときに前記荷重板に対して第１の力を
加え、前記ヒンジレバーが、前記ヒンジレバーが固定されたときに前記荷重板に対して第
２の力を加える、請求項１３に記載の一点駆動二荷重型機構。
【請求項１５】
前記第１の力の大きさ及び前記第２の力の大きさが、所定の閾値内にある、請求項１４に記載の一点駆動二荷重型機構。
【請求項１６】
前記作動レバーを固定するための作動レバーラッチをさらに含む、請求項１３に記載の一点駆動二荷重型機構。
【請求項１７】
前記作動レバーが固定されていないときには前記ヒンジレバーは完全に固定されない、
請求項１３に記載の一点駆動二荷重型機構。
【請求項１８】
ソケット内に固定装着されるコンピュータプロセッサを有する装置であって、
コンピュータプロセッサと、
前記コンピュータプロセッサを前記ソケットに固定するための一点駆動二荷重型機構と
を含み、前記一点駆動二荷重型機構が、
前記ソケットの周囲に装着される基部と、
前記基部に回転可能に結合される荷重板であって、作動レバーとヒンジレバーとが前記
荷重板の上方に固定されたときに前記基部に固定される、荷重板と
を含み、
前記作動レバーが、前記基部に回転可能に結合し、前記作動レバーが完全に回転したと
きに固定され、
前記ヒンジレバーが、前記基部に回転可能に結合し、前記作動レバーの回転が前記ヒン
ジレバーを回転させるように前記作動レバーに接続し、
前記ヒンジレバーが、前記作動レバーが固定されたときに固定され、
前記ヒンジレバーに接続した前記作動レバーのかぎ形端部を通じて前記ヒンジレバーに
ヒンジ力が加えられることによって、前記ヒンジレバーが、前記作動レバーが固定された
ときに固定される、装置。
【請求項１９】
前記作動レバーが、前記作動レバーが固定されたときに前記荷重板に対して第１の力を
加え、前記ヒンジレバーが、前記ヒンジレバーが固定されたときに前記荷重板に対して第
２の力を加える、請求項１８に記載の装置。
【請求項２０】
前記第１の力の大きさ及び前記第２の力の大きさが、所定の閾値内にある、請求項１９に記載の装置。
【請求項２１】
前記作動レバーを固定するための作動レバーラッチをさらに含む、請求項１８に記載の
装置。
【請求項２２】
前記作動レバーが固定されていないときには前記ヒンジレバーは完全に固定されない、
請求項１８に記載の装置。
【請求項２３】
コンピュータプロセッサをソケットに固定するための一点駆動二荷重型機構であって、
ソケットの周囲に装着される基部と、
前記基部に回転可能に結合される荷重板であって、作動レバーとヒンジレバーとが前記
荷重板の上方に固定されたときに前記基部に固定される、荷重板と
を含み、
前記ヒンジレバーが、前記作動レバーが固定されたときに固定され、
前記ヒンジレバーに接続した前記作動レバーのかぎ形端部を通じて前記ヒンジレバーに
ヒンジ力が加えられることによって、前記ヒンジレバーが、前記作動レバーが固定された
ときに固定される、一点駆動二荷重型機構。
【請求項２４】
前記作動レバーが、前記作動レバーが固定されたときに前記荷重板に対して第１の力を
加え、前記ヒンジレバーが、前記ヒンジレバーが固定されたときに前記荷重板に対して第
２の力を加える、請求項２３に記載の一点駆動二荷重型機構。
【請求項２５】
前記第１の力の大きさ及び前記第２の力の大きさが、所定の閾値内にある、請求項２４に記載の一点駆動二荷重型機構。
【請求項２６】
前記作動レバーを固定するための作動レバーラッチをさらに含む、請求項２３に記載の
一点駆動二荷重型機構。
【請求項２７】
前記作動レバーの前記かぎ形端部が、前記ヒンジレバーのループ形端部を介して前記ヒ
ンジレバーに接続する、請求項２３に記載の一点駆動二荷重型機構。
【請求項２８】
前記作動レバーが固定されていないときには前記ヒンジレバーは完全に固定されない、
請求項２３に記載の一点駆動二荷重型機構。
【請求項２９】
ソケット内に固定装着されるコンピュータプロセッサを有する装置であって、
コンピュータプロセッサと、
前記コンピュータプロセッサを前記ソケットに固定するための一点駆動二荷重型機構と
を含み、前記一点駆動二荷重型機構が、
前記ソケットの周囲に装着される基部と、
前記基部に回転可能に結合される荷重板であって、作動レバーとヒンジレバーとが前記
荷重板の上方に固定されたときに前記基部に固定される、荷重板と
を含み、
前記ヒンジレバーが、前記作動レバーが固定されたときに固定され、
前記ヒンジレバーに接続した前記作動レバーのかぎ形端部を通じて前記ヒンジレバーに
ヒンジ力が加えられることによって、前記ヒンジレバーが、前記作動レバーが固定された
ときに固定される、装置。
【請求項３０】
前記作動レバーが、前記作動レバーが固定されたときに前記荷重板に対して第１の力を
加え、前記ヒンジレバーが、前記ヒンジレバーが固定されたときに前記荷重板に対して第
２の力を加える、請求項２９に記載の装置。
【請求項３１】
前記第１の力の大きさ及び前記第２の力の大きさが、所定の閾値内にある、請求項３０に記載の装置。
【請求項３２】
前記作動レバーを固定するための作動レバーラッチをさらに含む、請求項２９に記載の
装置。
【請求項３３】
前記作動レバーの前記かぎ形端部が、前記ヒンジレバーのループ形端部を介して前記ヒ
ンジレバーに接続する、請求項２９に記載の装置。
【請求項３４】
前記作動レバーが固定されていないときには前記ヒンジレバーは完全に固定されない、
請求項２９に記載の装置。 
【発明の詳細な説明】
【技術分野】
【０００１】
本発明の分野はデータ処理システムであり、又はより具体的には、コンピュータプロセッサをソケットに固定するための一点駆動二荷重型機構、及びソケット内に固定装着されるコンピュータプロセッサを有する装置である。
【背景技術】
【０００２】
現代のコンピュータシステムは、ソケット内に装着される強力なコンピュータプロセッサを含むことが多い。ソケットは、マザーボードのような印刷回路基板（「ＰＣＢ」）に取り付けることができ、コンピュータプロセッサを収容するように構成することができる。現代のプロセッサは、プロセッサがソケットに対して確実な電気的接続を維持するようにソケット内でプロセッサの位置を保持し続けるために、プロセッサに対して力を加える必要がある場合がある。
【発明の概要】
【発明が解決しようとする課題】
【０００３】
本発明の目的は、コンピュータをソケットに固定するための機構、及びソケット内に固定装着されるコンピュータプロセッサを有する装置を提供することである。
【課題を解決するための手段】
【０００４】
コンピュータプロセッサをソケットに固定するための一点駆動二荷重型機構（dual force single point actuation integrated load mechanism）が開示される。一点駆動二荷重型機構は、ソケットの周囲に装着される基部を含む。一点駆動二荷重型機構はさらに、基部に回転可能に結合される荷重板（load plate）であって、基部の第１の側部上の作動レバーと基部の第２の側部上のヒンジレバーとが荷重板の上方に固定されたときに基部に固定される、荷重板を含む。荷重板の第１の側部上の作動レバーは、基部に回転可能に結合し、作動レバーが完全に回転したときに固定される。荷重板の第２の側部上のヒンジレバーは、基部に回転可能に結合し、作動レバーの回転がヒンジレバーを回転させるように作動レバーに接続する。したがって、ヒンジレバーは、作動レバーが固定されたときに固定される。
【０００５】
他の実施形態において、コンピュータプロセッサをソケットに固定するための一点駆動二荷重型機構が開示される。一点駆動二荷重型機構は、ソケットの周囲に装着される基部を含む。一点駆動二荷重型機構はさらに、基部に回転可能に結合される荷重板であって、作動レバーとヒンジレバーとが荷重板の上方に固定されたときに基部に固定される、荷重板を含む。作動レバーは、基部に回転可能に結合し、作動レバーが完全に回転したときに固定される。ヒンジレバーは、基部に回転可能に結合し、作動レバーの回転がヒンジレバーを回転させるように作動レバーに接続する。したがって、ヒンジレバーは、作動レバーが固定されたときに固定される。
【０００６】
本発明の上記及びその他の目的、特徴及び利点は、以下の、添付の図面に示されるような本発明の例示的な実施形態のより詳細な説明から明らかであり、図中、同様の参照符号は一般に本発明の例示的な実施形態の同様の部分を表す。
【図面の簡単な説明】
【０００７】
【図１】コンピュータプロセッサをソケットに固定するための一点駆動二荷重型機構の線図を示す。
【図２】コンピュータプロセッサをソケットに固定するための一点駆動二荷重型機構の線図を示す。
【図３】コンピュータプロセッサをソケットに固定するための一点駆動二荷重型機構の線図を示す。
【図４】コンピュータプロセッサをソケットに固定するための一点駆動二荷重型機構の線図を示す。
【図５】コンピュータプロセッサをソケットに固定するための一点駆動二荷重型機構の線図を示す。
【図６】コンピュータプロセッサをソケットに固定するための一点駆動二荷重型機構の線図を示す。
【図７】ソケット内に固定装着されるコンピュータプロセッサを有する装置の線図である。
【発明を実施するための形態】
【０００８】
本発明による、コンピュータプロセッサをソケットに固定するための例示的な装置及び一点駆動二荷重型機構を、添付の図面を最初に図１から参照して説明する。図１は、コンピュータプロセッサをソケットに固定するための一点駆動二荷重型機構の線図を示す。図１のコンピュータプロセッサをソケットに固定するための一点駆動二荷重型機構は、コンピュータプロセッサを受けるためのソケット（図示せず）の周囲に装着される基部（１０８）を含む。コンピュータプロセッサを受けるためのソケットは、印刷回路基板（「ＰＣＢ」）上に装着される電子部品として具体化することができ、さらにコンピュータプロセッサを受けて収納するように構成される。コンピュータプロセッサを受けるためのソケットは、コンピュータプロセッサとソケットがその上に装着されるＰＣＢのような構造体との間の電気的インターフェースを形成する。図１の例において、基部（１０８）は、コンピュータプロセッサに対して力を加えるように、ＰＣＢ上に又はそれ以外の方法でソケットの上に装着することができ、これによってコンピュータプロセッサがソケットに固定される。基部（１０８）はまた、一点駆動二荷重型機構がコンピュータプロセッサをソケットに固定することができるように、ＰＣＢの下にある補強材又は背板に装着することもできる。
【０００９】
図１のコンピュータプロセッサをソケットに固定するための一点駆動二荷重型機構はさらに、ヒンジレバー（１０６）を介して基部（１０８）に回転可能に結合する荷重板（１０４）も含む。荷重板（１０４）は、荷重板（１０４）の一方の側部が基部（１０８）に結合したままで荷重板（１０４）のその他の三方の側部が基部（１０８）から離れることができるように、回転可能に基部（１０８）に結合しており、これによって荷重板（１０４）は組込ロード機構がソケットに固定しているコンピュータプロセッサから外れることができる。この概念の例証は、図４を参照してより詳細に示され、説明される。
【００１０】
図１の荷重板（１０４）はさらに、基部（１０８）の第１の側部（１２０）上の作動レバー（１０２）と、基部（１０８）の第２の側部（１２２）上のヒンジレバー（１０６）とが荷重板（１０４）の上方に固定されたときに、基部（１０８）に固定される。作動レバー（１０２）及びヒンジレバー（１０６）を、例えば、各レバー（１０２、１０６）に対して力を加えるねじりばねに結合させて、各レバー（１０２、１０６）に対して加えられるそれ以外の力が存在しないときには各レバーが基部（１０８）から遠ざかる方向に回転するようにさせることができる。図１の例においては、基部（１０８）の第１の側部（１２０）上の作動レバー（１０２）及び基部（１０８）の第２の側部（１２２）上のヒンジレバー（１０６）は、荷重板（１０４）の上方の固定位置にはない。基部（１０８）の第１の側部（１２０）上の作動レバー（１０２）及び基部（１０８）の第２の側部（１２２）上のヒンジレバー（１０６）を荷重板（１０４）の上方の固定位置に配置することについては、以下でより詳細に説明する。
【００１１】
図１の例において、荷重板（１０４）の第１の側部（１２０）上の作動レバー（１０２）は、基部（１０８）に回転可能に結合している。図１の作動レバー（１０２）は、作動レバー（１０２）が完全に回転したときに固定される。例えば、作動力（１１０）を作動レバー（１０２）に加えると、作動レバー（１０２）が基部（１０８）に回転可能に結合しているならば、作動レバー（１０２）は図１の作動レバーラッチ（１１４）に向けて押し進められる。作動レバー（１０２）が完全に回転したときに、作動レバー（１０２）は作動レバーラッチ（１１４）によって所定位置に保持されることになり、このポイントで作動レバー（１０２）は本出願において用いられる用語で「固定位置」にあるものとなる。
【００１２】
図１の例において、荷重板（１０４）の第２の側部（１２２）上のヒンジレバー（１０６）もまた基部（１０８）に回転可能に結合している。図１のヒンジレバー（１０６）は作動レバー（１０２）にも接続しており、ヒンジレバー（１０６）が基部（１０８）に回転可能に結合しているならば、作動レバー（１０２）の回転がヒンジレバー（１０６）を回転させるようになっている。例えば、作動力（１１０）を作動レバー（１０２）に加えると、作動レバー（１０２）は図１の作動レバーラッチ（１１４）に向けて押し進められる。図１の例において、作動レバー（１０２）は作動レバー取付具（１１８）の下を通ってヒンジレバー（１０６）の方に延びる一体成形の金属又は他の剛性材料であり、作動レバー（１０２）の部分（１１６）がヒンジレバー（１０６）に対して力（１１２）を加えるために利用できるようになっている。作動レバー（１０２）が基部（１０８）及び作動レバーラッチ（１１４）に向かって回転すると、ヒンジレバー（１０６）に対して力（１１２）を加えるために利用できる作動レバー（１０２）の部分（１１６）もまた同じ方向に回転し、それによってヒンジ力（１１２）をヒンジレバー（１０６）に及ぼしてヒンジレバー（１０６）も基部（１０８）に向かって回転するようになっている。図１の例において、ヒンジレバー（１０６）は作動レバー（１０２）が固定されたときに固定され、それは、作動レバー（１０２）が完全に回転して作動レバーラッチ（１１４）によって所定位置に保持されたときに生じる。
【００１３】
図１の例において、作動レバー（１０２）は、作動レバー（１０２）が固定されたときに荷重板（１０４）に対して第１の力を加える。図１のヒンジレバー（１０６）も同様に、ヒンジレバー（１０６）が固定されたときに荷重板（１０４）に対して第２の力を加える。作動レバー（１０２）及びヒンジレバー（１０６）によって荷重板（１０４）に加えられる力が荷重板（１０４）を基部（１０８）に向かって押し下げ、そのことにより、荷重板（１０４）によってコンピュータプロセッサに対して力が及ぼされ、コンピュータプロセッサをソケット内に固定する補助となる。図１の例において、作動レバー（１０２）によって加えられる第１の力の大きさ及びヒンジレバー（１０６）によって加えられる第２の力の大きさは、所定の閾値内、例えば、互いの所定のパーセンテージ内とすることができる。
【００１４】
図１の例において、上述のように、一点駆動二荷重型機構は、作動レバーを固定するための作動レバーラッチ（１１４）をさらに含む。作動レバーラッチ（１１４）は作動レバー（１０２）を固定位置に保持して、各レバー（１０２、１０６）が荷重板（１０４）に対して力を及ぼし続けるように機能し、この力がコンピュータプロセッサに伝達されて、コンピュータプロセッサのソケット内での固定装着を保持する。
【００１５】
図１の例において、一点駆動二荷重型機構は、ヒンジレバー（１０６）に対して力を加える作動レバーの部分（１１６）にかぎ形の端部を備えた作動レバー（１０２）を含む。作動レバー（１０２）のかぎ形端部は、ヒンジレバー（１０６）のループ形の端部を介してヒンジレバー（１０６）とかみ合う。作動レバー（１０２）のかぎ形端部とヒンジレバー（１０６）のループ形端部とのかみ合いは、作動レバー（１０２）とヒンジレバー（１０６）との間に、作動レバー（１０２）がヒンジレバー（１０６）の位置を確実に制御することができるような、信頼性の高い確実な接続をもたらす。
【００１６】
さらなる説明のために、図２は、コンピュータプロセッサをソケットに固定するための一点駆動二荷重型機構のさらなる線図を示す。図２の一点駆動二荷重型機構は、図１の一点駆動二荷重型機構と同一であり、これもまた作動レバー（１０２）、荷重板（１０４）、ヒンジレバー（１０６）、基部（１０８）、作動レバーラッチ（１１４）、及びヒンジレバー（１０６）に力を加える作動レバーの部分（１１６）を含む。しかしながら、図２の例においては、作動レバー（１０２）及びヒンジレバー（１０６）は完全に非固定位置にあり、作動レバー（１０２）及びヒンジレバー（１０６）は荷重板（１０４）を固定していない。上述のように、荷重板（１０４）は基部（１０８）に回転可能に結合している。したがって、作動レバー（１０２）およびヒンジレバー（１０６）が荷重板（１０４）を固定していないときには、荷重板（１０４）を上方向に回転させて、荷重板をコンピュータプロセッサから外すことができるようになっており、コンピュータプロセッサを取り外すことが可能になる。
【００１７】
図２の例において、ヒンジレバー（１０６）に力を加える作動レバーの部分（１１６）に位置する作動レバー（１０２）のかぎ形端部と、ヒンジレバー（１０６）のループ形端部とは、かみ合っていない。この特定の構成において、作動レバー（１０２）はヒンジレバー（１０６）に対して力を及ぼさず、ヒンジレバー（１０６）の位置を制御していない。このような例において、作動レバー（１０２）を作動レバーラッチ（１１４）に向かって回転させる必要があり、そのポイントで作動レバー（１０２）のかぎ形端部はヒンジレバー（１０６）のループ形端部と係合することになり、それによって作動レバー（１０２）はヒンジレバー（１０６）に対して力を及ぼすことが可能になり、ヒンジレバー（１０６）を基部（１０８）に向かって回転させることになる。
【００１８】
さらなる説明のために、図３は、コンピュータプロセッサをソケットに固定するための一点駆動二荷重型機構のさらなる線図を示す。図３の一点駆動二荷重型機構は、図１及び図２の一点駆動二荷重型機構と同一であり、これもまた作動レバー（１０２）、荷重板（１０４）、ヒンジレバー（１０６）、基部（１０８）、作動レバーラッチ（１１４）、及びヒンジレバー（１０６）に力を加える作動レバーの部分（１１６）を含む。実際は、一点駆動二荷重型機構の構成要素は図２と同じに位置しているが、異なる視点から見て描かれている。
【００１９】
図３の例においては、ヒンジレバー取付具（３０２）、及びヒンジレバー（１０６）の回転を制限する部分（３０４）にも符号が付されている。ヒンジレバー取付具（３０２）は、ヒンジレバー（１０６）を基部（１０８）に接続するために用いられる物理的ハウジングである。図３のヒンジレバー（１０６）の一方の端部は、図１及び図２を参照して上述したようにループ形の端部を有する。ヒンジレバー（１０６）の他方の端部は、この端部がヒンジレバー（１０６）の回転を制限するヒンジレバー（１０６）の部分（３０４）として機能するように形作られている。ヒンジレバーは、ヒンジレバー（１０６）のこの２つの端部の間でヒンジレバー取付具（３０２）内に装着され、コンピュータプロセッサをソケットに固定するための一点駆動二荷重型機構の基部（１０８）にヒンジレバー（１０６）が接続されるようになっている。
【００２０】
図３の例において、ヒンジレバー（１０６）はヒンジレバー取付具（３０２）のところでヒンジレバー（１０６）に結合された荷重板（１０４）のヒンジとして機能し、荷重板（１０４）はヒンジレバー（１０６）の周りで回転することができるようになっている。図１及び図２を参照して上述したように、ヒンジレバー（１０６）のループ形端部は、ヒンジレバー（１０６）のループ形端部が一点駆動二荷重型機構の基部（１０８）に向かって下向きに押し下げられるように、作動レバー（１０２）のかぎ形端部から力を受けることができる。図３に示されているように、作動レバー（１０２）がヒンジレバー（１０６）に力を及ぼしていないときには、ヒンジレバー（１０６）のループ形端部は、一点駆動二荷重型機構の基部（１０８）から遠ざかる方向に回転することができる。しかしながら、回転の範囲は、ヒンジレバー（１０６）のループ形端部が基部（１０８）から遠ざかる方向に回転するにつれて基部（１０８）と接触するようになる、ヒンジレバー（１０６）の回転を制限するヒンジレバー（１０６）の部分（３０４）によって制限される。
【００２１】
さらなる説明のために、図４は、コンピュータプロセッサをソケットに固定するための一点駆動二荷重型機構のさらなる線図を示す。図４の一点駆動二荷重型機構は、図１−図３の一点駆動二荷重型機構と同様であり、基部（４０８）、荷重板（４０４）、作動レバー（４０２）、及びヒンジレバー（４０６）に力を加える作動レバー（４０２）の部分（４１０）によって制御されるヒンジレバー（４０６）を含む。
【００２２】
しかしながら、図４の一点駆動二荷重型機構は、ヒンジレバー（４０６）が作動レバー（１０２）のかぎ形端部とかみ合うループ形端部を含まないという点で、図１−図３に示された一点駆動二荷重型機構とは異なる。その代わり、ヒンジレバー（４０６）もまたかぎ形端部を有する。図４の例において、ヒンジレバー（４０６）の位置は、ヒンジレバー（４０６）の動きを制限する作動レバー（４０２）のかぎ形端部によって制御される。例えば、かぎ形端部の設計は、作動レバー（４０２）が固定位置にあって作動レバーラッチ（４１２）によって拘束されているときに、ヒンジレバー（４０６）もまた固定位置にあって、両方のレバーが荷重板（４０４）に力を及ぼすような設計になっており、それによってコンピュータプロセッサをソケット内に固定するようになっている。作動レバー（４０２）が基部（４０８）から遠ざかる方向に回転すると、図４に示されるように、作動レバー（４０２）のかぎ形端部はその物理的設計によって、ヒンジレバー（４０６）のかぎ形端部によって形作られたスロット内を移動し、ヒンジレバー（４０６）が基部（４０８）から遠ざかる方向に回転するようになっている。
【００２３】
さらなる説明のために、図５は、コンピュータプロセッサをソケットに固定するための一点駆動二荷重型機構のさらなる線図を示す。図５の一点駆動二荷重型機構は、図４の一点駆動二荷重型機構と同一であり、これもまた作動レバー（４０２）、荷重板（４０４）、ヒンジレバー（４０６）、基部（４０８）、作動レバーラッチ（４１２）、及びヒンジレバー（４０６）に力を加える作動レバー（４０２）の部分（４１０）を含む。図５の例において、作動レバー（４０２）およびヒンジレバー（４０６）は、作動レバー（４０２）とヒンジレバー（４０６）とが荷重板（４０４）を固定するようになった、完全な固定位置にある。
【００２４】
さらなる説明のために、図６は、コンピュータプロセッサをソケットに固定するための一点駆動二荷重型機構のさらなる線図を示す。図６の一点駆動二荷重型機構は、図１−図５の一点駆動二荷重型機構と同様であり、これもまた作動レバー（４０２）、荷重板（４０４）、ヒンジレバー（４０６）、基部（４０８）、作動レバーラッチ（４１２）、及びヒンジレバー（４０６）に力を加える作動レバー（４０２）の部分（４１０）を含む。しかしながら、図６の例においては、作動レバー（４０２）及びヒンジレバー（４０６）は、荷重板（４０４）の同じ側部上に位置する。
【００２５】
図６の例において、作動レバーラッチ（４１２）へと向かう作動レバー（４０２）の回転によって作動レバー（４０２）はヒンジレバー（４０６）に力を加えることになり、これによってヒンジレバー（４０６）は基部（４０８）に向かって回転する。図６の例において、作動レバー（４０２）は、荷重板（４０４）に力を加える作動レバー（４０２）の部分（６０２）を含む。同様に、ヒンジレバー（４０６）もまた、荷重板（４０４）に力を加えるヒンジレバー（４０６）の部分（６０４）を含む。各レバー（４０４、４０６）は、基部（４０８）に向かう各レバー（４０４、４０６）の回転によって、荷重板（４０４）に力を加える作動レバー（４０２）の部分（６０２）と、荷重板（４０４）に力を加えるヒンジレバー（４０６）の部分（６０４）とが基部（４０８）に向かって回転し、そのことによって荷重板（４０４）に二重の力がかかるように設計されている。
【００２６】
さらなる説明のために、図７は、ソケット（７０４）内に固定装着されるコンピュータプロセッサ（７０６）を有する装置の線図である。図７の装置はさらに、図１−図５を参照して上述したような、コンピュータプロセッサ（７０６）をソケット（７０４）に固定するための一点駆動二荷重型機構（７０８）も含む。図７の装置は、ソケット（７０４）がその上に装着されるＰＣＢ（７０２）をさらに含むこともできる。図７の装置は、例えば、パーソナルコンピュータ、ブレードサーバ内のブレード、又は当業者に想起される任意のその他のコンピュータデバイスとして、具体化することができる。
【００２７】
コンピュータプロセッサをソケットに固定するための一点駆動二荷重型機構（７０８）は、図１−図５を参照して上述したように具体化することができる。図７の例において、一点駆動二荷重型機構（７０８）は、ソケット（７０４）の周囲に装着される基部と、基部に回転可能に結合される荷重板であって、基部の第１の側部上の作動レバーと基部の第２の側部上のヒンジレバーとが荷重板の上方に固定されたときに基部に固定される、荷重板とを含むことができる。図７の例において、荷重板の第１の側部上の作動レバーは、基部に回転可能に結合し、作動レバーが完全に回転したときに固定される。図７の例において、荷重板の第２の側部上のヒンジレバーは、基部に回転可能に結合し、作動レバーの回転がヒンジレバーを回転させるように作動レバーに接続する。図７のヒンジレバーは、作動レバーが固定されたときに固定される。
【００２８】
他の実施形態によれば、コンピュータプロセッサをソケットに固定するための一点駆動二荷重型機構（７０８）は、図１−図６を参照して上述したように具体化することができる。図７の例において、一点駆動二荷重型機構（７０８）は、ソケット（７０４）の周囲に装着される基部と、基部に回転可能に結合される荷重板であって、作動レバーとヒンジレバーとが荷重板の上方に固定されたときに基部に固定される、荷重板とを含むことができる。図７の例において、作動レバーは、基部に回転可能に結合し、作動レバーが完全に回転したときに固定される。図７の例において、ヒンジレバーは、基部に回転可能に結合し、作動レバーの回転がヒンジレバーを回転させるように作動レバーに接続する。図７のヒンジレバーは、作動レバーが固定されたときに固定される。
【００２９】
上記の説明から、本発明の種々の実施形態において、その真意から逸脱することなく改変及び変更を加えることができることが理解されよう。本明細書における記載は例証のみを目的とするものであり、限定的な意味で解釈されるべきではない。本発明の範囲は以下の特許請求の範囲の文言によってのみ、限定される。
【図１】
0005828156.tif 000002
【図２】
0005828156.tif 000003
【図３】
0005828156.tif 000004
【図４】
0005828156.tif 000005
【図５】
0005828156.tif 000006
【図６】
0005828156.tif 000007
【図７】
0005828156.tif 000008